(57)【特許請求の範囲】
【請求項１】
シャーシと、前記シャーシに設けられてディスクが設置される回転駆動部と、前記回転駆動部に設置されたディスクに対向する光ヘッドとを有するディスク装置において、
前記光ヘッドをディスクに沿って移動自在に支持する第１のガイド部材と第２のガイド部材とが設けられ、
前記第１のガイド部材は、その両端部が前記シャーシに設けられた支持部材に支持されて、両側の前記支持部材の間で前記光ヘッドを移動自在に支持し、
前記第２のガイド部材は、前記光ヘッドを案内する案内領域に、前記シャーシに固定されている固定領域と、前記ディスクの面に直交する方向へ弾性変形できる弾性変形領域とが設けられており、
前記光ヘッドが前記弾性変形領域で支持されているときに、前記光ヘッドの質量と前記第１のガイド部材の剛性を含む条件で決まる前記光ヘッドの共振周波数が、回転駆動されているディスクの共振周波数に最も接近することを特徴とするディスク装置。
【請求項２】
前記光ヘッドがディスクの中心側の初期位置にあるときに、前記光ヘッドが前記弾性変形領域で支持される請求項１記載のディスク装置。
【請求項３】
前記初期位置にある前記光ヘッドが、両側の前記支持部材のほぼ中心位置で前記第１のガイド部材で支持されている請求項２記載のディスク装置。
【請求項４】
前記第２のガイド部材は合成樹脂製であり、光ヘッド案内方向に延びる嵌合凹部に前記シャーシの一部が嵌入されており、前記弾性変形領域では、前記嵌合凹部と前記シャーシの両面との間に隙間が形成されている請求項１ないし３のいずれかに記載のディスク装置。
【発明の詳細な説明】
【技術分野】
【０００１】
本発明は、光ヘッドの共振を抑制できるディスク装置に関する。
【背景技術】
【０００２】
特許文献１に、ガイドレールの共振を防止する構造を採用したディスク装置の移動光学ユニット案内機構に関する発明が記載されている。
【０００３】
この移動光学ユニット案内機構には、移動光学ユニットを案内する固定側ガイドレールと予圧側ガイドレールが設けられている。ベース上には、それぞれの前記ガイドレールの両端を支持するレール取付部が固定されている。
【０００４】
固定側ガイドレールの両端部は、それぞれ板バネによって、前記レール取付部の固定レール当接面に突き当てられている。前記予圧側ガイドレールの両端部を支持するベース取付部では、ストップ面に弾性体が接着されており、予圧側ガイドレールの両端部は、板バネにより前記弾性体に押し付けられている。
この構造によりガイドレールの共振を防止しようとしている。
【先行技術文献】
【特許文献】
【０００５】
【特許文献１】特開平８−２５５４４１号公報
【発明の概要】
【発明が解決しようとする課題】
【０００６】
特許文献１に記載された移動光学ユニット案内機構は、予圧側ガイドレールの両端部が弾性体に押し付けられている。この支持構造では、移動光学ユニットが予圧側ガイドレール上のどの位置を移動しているときであっても、常に予圧側ガイドレールが前記弾性体で弾性支持された状態である。
【０００７】
よって、予圧側ガイドレールは常に動きやすい状態となっており、前記弾性体によってガイドレールの共振を抑制できたとしても、例えば車体振動などのような比較的周波数の低い外部振動によって、予圧側ガイドレールが振れやすくなっており、移動光学ユニットを安定した状態で案内することができない。
【０００８】
本発明は上記従来の課題を解決するものであり、光ヘッドがガイド部材上の特定の位置で支持されているときのみ、光ヘッドの共振を抑制できるようにして、ディスクの振動などに追従して光ヘッドが共振する現象が生じにくくなり、しかも光ヘッドを安定して案内することができるディスク装置を提供することを目的としている。
【課題を解決するための手段】
【０００９】
本発明は、シャーシと、前記シャーシに設けられてディスクが設置される回転駆動部と、前記回転駆動部に設置されたディスクに対向する光ヘッドとを有するディスク装置において、
前記光ヘッドをディスクに沿って移動自在に支持する第１のガイド部材と第２のガイド部材とが設けられ、
前記第１のガイド部材は、その両端部が前記シャーシに設けられた支持部材に支持されて、両側の前記支持部材の間で前記光ヘッドを移動自在に支持し、
前記第２のガイド部材は、前記光ヘッドを案内する案内領域に、前記シャーシに固定されている固定領域と、前記ディスクの面に直交する方向へ弾性変形できる弾性変形領域とが設けられており、
前記光ヘッドが前記弾性変形領域で支持されているときに、前記光ヘッドの質量と前記第１のガイド部材の剛性を含む条件で決まる前記光ヘッドの共振周波数が、回転駆動されているディスクの共振周波数に最も接近することを特徴とするものである。
【００１１】
本発明のディスク装置は、例えば、前記光ヘッドがディスクの中心側の初期位置にあるときに、前記光ヘッドが前記弾性変形領域で支持される。
【００１２】
本発明のディスク装置は、前記初期位置にある前記光ヘッドが、両側の前記支持部材のほぼ中心位置で前記第１のガイド部材で支持されている場合に特に有効である。
【００１３】
本発明のディスク装置は、前記第２のガイド部材が合成樹脂製であり、光ヘッド案内方向に延びる嵌合凹部に前記シャーシの一部が嵌入されており、前記弾性変形領域では、前記嵌合凹部と前記シャーシの両面との間に隙間が形成されているものが好ましい。
【発明の効果】
【００１４】
本発明のディスク装置は、第２のガイド部材の一部の弾性変形領域のみが弾性変形自在であるが、それ以外の固定領域で第２のガイド部材がシャーシに強固に固定されている。よって、光ヘッドが弾性変形領域に位置しているときにのみ、第２のガイド部材が振動抑制機能を発揮し、光ヘッドが固定領域を移動しているときは第２のガイド部材によって光ヘッドを安定して案内することができる。
【００１５】
本発明は、例えば、光ヘッドの質量と第１のガイド部材の剛性を含む条件で決まる共振周波数が、回転駆動されているディスクの共振周波数に最も近い状態になっていたとしても、その位置にある光ヘッドがディスクの振動に追従して共振するのを抑制できるようになる。
【図面の簡単な説明】
【００１６】
【図１】本発明の実施の形態のディスク装置を示す斜視図、
【図２】ディスク装置内部の機構を示す平面図、
【図３】光ヘッドとガイド部材を示す分解斜視図、
【図４】第２のガイド部材を図３のＩＶ矢視方向から見た側面図、
【図５】図４をＶ−Ｖ線で切断した断面図、
【発明を実施するための形態】
【００１７】
本発明の実施の形態のディスク装置１は、Ｙ１方向が搬入方向でＹ２方向が搬出方向であり、Ｘ１方向が左側で、Ｘ２方向が右側である。また、Ｚ１方向が上方で、Ｚ２方向が下方である。
【００１８】
図１と図２に示すように、ディスク装置１は筐体２を有している。筐体２は金属板で形成されている。筐体２は、底板２ａと搬出方向（Ｙ２方向）に向く前板２ｂと、搬入方向（Ｙ１方向）に向く後板２ｃと、Ｘ１側に向く左側板２ｄと、Ｘ２側に向く右側板２ｅを有している。筐体２は天井板を有しているが、天井板は外した状態で示されている。
【００１９】
前板２ｂの外側（前方）に化粧部材であるノーズ部３が固定されており、ノーズ部３には、左右方向にスリット状に延びる挿入・排出口４が開口している。図２は、ノーズ部３が除去された状態で示されている。
【００２０】
筐体２は、いわゆる１ＤＩＮの容積を有しており、車載用として使用されるときは、筐体２が自動車のインストルメントパネルの内部に設置され、ノーズ部３がインストルメントパネルのパネル面に現れる。
【００２１】
このディスク装置１はいわゆるスロットイン方式であり、図１に示すように、ディスクＤは、挿入・排出口４からディスク面に沿う向きで筐体２の内部に挿入される。
【００２２】
図１と図２に示すように、筐体２の内部に、金属板で形成された駆動シャーシ５が収納されている。筐体２の底板２ａ上には複数のダンパー部材７が設けられており、駆動シャーシ５は、ダンパー部材７とコイルばねによって、筐体２の内部で動くことができるように支持されている。ダンパー部材７はゴム製の可撓性のケースの内部にオイルなどの流体が封入されている。
【００２３】
筐体２の内部のほぼ中央部には、回転駆動部１０が配置されている。回転駆動部１０は、ターンテーブル１１とクランパ１２を有している。駆動シャーシ５の下側にピンドルモータが固定され、スピンドルモータの回転軸が駆動シャーシ５の上方に延び出て、この回転軸にターンテーブル１１が固定されている。駆動シャーシ５の上には、クランプアーム１３が、Ｙ１側に設けられた支持部１３ａを支点として回動自在に支持されている。クランプアーム１３のＹ２側の先部の下側にクランパ１２が回転自在に支持されている。駆動シャーシ５とクランプアーム１３との間にはクランプばねが設けられ、このクランプばねの弾性力によって、クランプアーム１３は、クランパ１２がターンテーブル１１に押し付けられる方向へ付勢されている。
【００２４】
図２に示すように、筐体２の内部に駆動機構２０が設けられている。駆動機構２０では、駆動シャーシ５上にモータ２１が固定されており、モータ２１の動力は主駆動歯車２３に伝達され、さらに複数の歯車を備えた歯車列２４に伝達される。これら歯車は、駆動シャーシ５上に回転自在に支持されている。
【００２５】
筐体２の左側板２ｄの内側に、切換え部材６がＹ１−Ｙ２方向へ移動自在に支持されている。切換え部材６のＹ１側の端部にクランプ解除カム６ａが形成されている。図１に示すように、ディスクＤの装填を待機しているときは、切換え部材６がＹ１方向へ移動しており、クランプ解除カム６ａでクランプアーム１３に形成された持ち上げ部１３ｂが持ち上げられ、クランパ１２がターンテーブル１１から上方へ離されている。
【００２６】
図２に示すように、筐体２のＹ１側の奥部に装填検知レバー２５が回動自在に支持されている。搬入されたディスクＤの中心穴Ｄａがターンテーブル１１上に至り、ディスクＤのＹ１側の縁部で装填検知レバー２５が押されると、装填検知レバー２５が反時計方向へ回動させられ、その力で切換え機構２６が動作し、歯車列２４の回転動力が切換え部材６に与えられて、切換え部材６がＹ２方向へ移動し始める。このとき、切換え部材６に設けられたクランプ解除カム６ａが持ち上げ部１３ｂから外れ、クランプアーム１３はクランプばねの弾性力で下降させられて、ディスクＤの中心穴Ｄａがターンテーブル１１とクランパ１２との間で挟まれてクランプされる。
【００２７】
図１に示すように、筐体２の内部では、挿入・排出口４を有するノーズ部３と回転駆動部１０との間に、搬送機構３０が設けられている。
【００２８】
搬送機構３０にはローラブラケット３１が設けられている。ローラブラケット３１は、金属板で形成されており、Ｙ２側の端部に設けられた支持支点部３１ａが駆動シャーシ５に回動自在に支持されている。
【００２９】
図１と図２に示すように、ローラブラケット３１にローラ軸３２の左右両端部が回転自在に支持されている。ローラ軸３２の外周には一対の搬送ローラ３３，３３が挿通されている。搬送ローラ３３は合成ゴム材料で形成されている。筐体２の天井板（図示せず）には、合成樹脂製のディスクガイド３４が固定されており、搬送ローラ３３とディスクガイド３４が上下に対向している。
【００３０】
ローラブラケット３１は、ローラ付勢ばねによって、搬送ローラ３３がＺ１方向へ持ち上げられるように常に付勢されている。ディスクＤが搬送されるときは、ローラ付勢ばねの弾性力でローラブラケット３１が上向きに回動付勢され、ディスクＤが搬送ローラ３３とディスクガイド３４とで挟持される。
【００３１】
前記切換え部材６のＹ２側の端部には、ローラ下降カム６ｂが形成されており、ディスクＤが装填された後に切換え部材６がＹ２方向へ移動すると、ローラ下降カム６ｂによって、ローラブラケット３１が下向きに回動させられ、搬送ローラ３３がディスクＤから離れる。
【００３２】
図１と図２に示すように、ローラ軸３２のＸ１側の端部に従動歯車３５が固定されている。図２に示す駆動機構２０では、歯車列２４のＹ２方向の終段にローラ駆動歯車２７が設けられている。ローラブラケット３１の回動によりローラ軸３２と搬送ローラ３３が持ち上げられると、従動歯車３５がローラ駆動歯車２７と噛み合って、従動歯車３５の回転力で、ローラ軸３２と搬送ローラ３３とが回転させられる。
【００３３】
図１と図２に示すように、筐体２の内部に光ヘッド５０と、この光ヘッド５０を移動させるヘッド移送機構４０が設けられている。
【００３４】
図３に示すように、光ヘッド５０は、合成樹脂製のヘッドベース５１を有している。ヘッドベース５１にはサスペンションワイヤ５３の基端部が固定されており、サスペンションワイヤ５３の先端部でレンズホルダ５２が支持されている。レンズホルダ５２には対物レンズ５４が保持されている。ヘッドベース５１にはフォーカス補正機構とトラッキング補正機構が搭載されており、レンズホルダ５２がフォーカス補正方向とトラッキング補正方向へ駆動される。また、ヘッドベース５１には、対物レンズ５４に検知光を送る発光素子と、ディスクＤで反射されて対物レンズ５４で捕捉された反射光を受光する受光素子などの各種光学部品が搭載されている。
【００３５】
図２と図３に示すように、ヘッド移送機構４０には、第１のガイド部材４１と第２のガイド部材４５が設けられている。第１のガイド部材４１と第２のガイド部材４５は、図１に示す駆動シャーシ５に支持されているが、図２は駆動シャーシ５が除去された状態で示されている。
【００３６】
第１のガイド部材４１は、断面が真円形状の金属製のガイド軸であり、一方の端部が、駆動シャーシ５に固定された第１の支持部材４２に支持され、他方の端部も駆動シャーシ５に固定された第２の支持部材４３（図示せず）に支持されている。図２と図３に示すように、ヘッドベース５１の一方の側部に基準軸受け部となる第１の軸受け部５１ａが一体に形成されており、第１の軸受け部５１ａが、第１の支持部材４２と第２の支持部材４３との間において、第１のガイド部材４１の外側に摺動自在に挿通されている。
【００３７】
第２のガイド部材４５は合成樹脂材料で形成されている。第２のガイド部材４５には、Ｘ２方向に開口する嵌合凹部４６が形成されており、嵌合凹部４６はＹ１−Ｙ２方向に延びている。図４に示すように、嵌合凹部４６は、Ｚ２側に下部内壁４６ａを、Ｚ１側に上部内壁４６ｂを有している。
【００３８】
図４に示すように、第２のガイド部材４５は、光ヘッド５０を案内する案内領域が、弾性変形領域Ｗ１と固定領域Ｗ２とに区分されている。固定領域Ｗ２では、Ｙ方向に間隔を空けた２か所において、下部内壁４６ａからＺ１方向に向けて突出する挟圧突起４７が一体に形成されている。
【００３９】
弾性変形領域Ｗ１では、嵌合凹部４６の上部内壁４６ｃが、固定領域Ｗ２の上部内壁４６ｂよりもＺ１側に少し高くなった位置に形成されている。弾性変形領域Ｗ１の上部内壁４６ｂと固定領域Ｗ２の上部内壁４６ｃとの境界部に段差部４６ｄが形成されている。
【００４０】
また、第２のガイド部材４５では、下部内壁４６ａよりも下側においてＸ２方向へ突出する係止突起４８が一体に形成されている。係止突起４８は３か所に設けられている。
【００４１】
図３と図５に示すように、駆動シャーシ５には、Ｚ２側に折り曲げられた折曲げ片５ａと、折曲げ片５ａの下縁部から水平方向に折り曲げられた固定片５ｂが設けられている。折曲げ片５ａと固定片５ｂとの折り曲げ境界部には、３か所に掛止穴５ｃが形成されている。
【００４２】
図４と図５に示すように、駆動シャーシ５に形成された固定片５ｂが、嵌合凹部４６に嵌入されることで、第２のガイド部材４５が駆動シャーシ５に固定される。図４に示す固定領域Ｗ２では、嵌合凹部４６の内部で、固定片５ｂが、上部内壁４６ｂと挟圧突起４７との間で強固に挟まれ、固定片５ｂの上面がＹ方向のほぼ全域で上部内壁４６ｂに密着している。したがって、固定領域Ｗ２では、第２のガイド部材４５がＺ１−Ｚ２方向へ動くことなく強固に固定されている。
【００４３】
一方で、弾性変形領域Ｗ１では、固定片５ｂの下面と下部内壁４６ａとの間に隙間δ１が形成され、固定片５ｂの上面と上部内壁４６ｃとの間に隙間δ２が形成されている。弾性変形領域Ｗ１では、前記隙間分だけ、第２のガイド部材４５の上部と下部がＺ１−Ｚ２方向へ弾性変形可能となっている。
【００４４】
図３と図４に示すように、ヘッドベース５１の他方の側部に第２の軸受け部５１ｂが形成されており、第２の軸受け部５１ｂに軸受け凹部５１ｃが形成されている。図３に示すように、ヘッドベール５１に板ばね部材５５が固定されている。板ばね部材５５の下部に弾性付勢片５５ａが一体に形成されており、その先部に付勢部５５ｂが形成されている。図４と図５に示すように、軸受け凹部５１ｃは、第２のガイド部材４５の外周に装着されており、前記弾性付勢片５５ａの付勢部５５ｂが第２のガイド部材４５の下面４５ａに摺動自在に弾圧されている。これにより、第２の軸受け部５１ｂが第２のガイド部材４５に上下にがたつくことのないように支持されている。
【００４５】
図２と図３に示すように、前記駆動機構２０では、駆動シャーシ５上に動力伝達部材２８が設けられている。動力伝達部材２８には軸受け部２８ａが一体に形成されており、軸受け部２８ａが第１のガイド部材４１に摺動自在に挿通されている。動力伝達部材２８には、ラック部２８ｂが一体に形成されている。図２に示す主駆動歯車２３にピニオン歯車が一体に形成されており、ピニオン歯車がラック部２８ｂと常に噛み合っている。
【００４６】
次に、前記ディスク装置１の動作を説明する。
図１に示すように、ディスクＤの装填を待機する待機モードでは、切換え部材６がＹ１方向へ移動しており、クランプアーム１３が持ち上げられて、クランパ１２がターンテーブル１１から上方へ離れている。また、ローラブラケット３１がばねの力で持ち上げられており、搬送ローラ３３がディスクガイド３４の下面に圧接されている。
【００４７】
挿入・排出口４からディスクＤが挿入され、これが図示しない挿入検知部材で検知されると、駆動機構２０のモータ２１が始動する。モータ２１の回転力は主駆動歯車２３から歯車列２４を経てローラ駆動歯車２７に伝達される。ローラ駆動歯車２７から従動歯車３５に回転力が伝達され、ローラ軸３２と搬送ローラ３３とが回転する。よって、ディスクＤは、回転している搬送ローラ３３とディスクガイド３４に挟まれて、筐体２の内部に搬入されていく。
【００４８】
搬入されたディスクＤの中心穴Ｄａがターンテーブル１１の上に移動すると、ディスクＤのＹ１側の縁部でディスク装填検知レバー２５が押されて反時計方向へ回動する。この回動力で切換え機構２６が動作し、歯車列２４の回転力が切換え部材６に伝達され、切換え部材６がＹ２方向へ移動し始める。切換え部材６が図１に示す位置からＹ２方向へ移動すると、クランプ解除カム６ａが持ち上げ部１３ｂから外れ、クランプばねの力でクランプアーム１３が下降させられて、ディスクＤの中心穴Ｄａがターンテーブル１１とクランパ１２とで挟まれる。また、切換え部材６がＹ２方向へ移動すると、切換え部材６に設けられたローラ下降カム６ｂによってローラブラケット３１が下降させられ、搬送ローラ３３，３３がディスクＤの下面から離れる。
【００４９】
図２と図３に示すように、第１のガイド部材４１には動力伝達部材２８が移動自在に支持されている。前記のようにディスクＤが搬入され、搬入されたディスクＤがターンテーブル１１とクランパ１２とでクランプされるまでの間、モータ２１が継続して回転しているため、主駆動歯車２３は回転し続け、図２と図３に示す動力伝達部材２８のラック部２８ｂに移動力が伝達され続けている。
【００５０】
ここで、動力伝達部材２８と光ヘッド５０の第１の軸受け部５１ａは連結ばねを介して連結されている。光ヘッド５０が、図１に示すように、ディスクＤの内周側に移動して初期位置で停止しているときに、主駆動歯車２３からラック部２８ｂに動力が伝達されると、動力伝達部材２８と光ヘッド５０との係合状態が外れ、前記連結ばねが弾性変形しながら、動力伝達部材２８が図２に示す装填・排出駆動範囲Ｌ１内で移動する。このとき、光ヘッド５０は初期位置で停止したままとなる。
【００５１】
これに対し、ディスクのクランプが完了した後に、モータ２１が回転し、主駆動歯車２３が回転駆動されると、動力伝達部材２８と第１の軸受け部５１ａとが前記連結ばねの弾性力で係合状態となり、図２に示すヘッド移送範囲Ｌ２において、動力伝達部材２８と光ヘッド５０とが一体となって、（ａ）−（ｂ）方向へ移動できるようになる。
【００５２】
ただし、通常の動作では、搬入されたディスクＤがターンテーブル１１上にクランプされた直後にモータ２１が停止し、光ヘッド５０を図２に示す初期位置に停止させたままの状態で、回転駆動部１０のスピンドルモータを回転させ、ターンテーブル１１と共にディスクＤを回転させる。
【００５３】
そして、ヘッドベース５１に設けられたフォーカス駆動機構を動作させし、図３に示すレンズホルダ５２をフォーカス補正方向（Ｚ１−Ｚ２方向）へ所定の周波数で往復移動させ、対物レンズ５４からディスクＤの内周部分の記録面に検知光を照射させ、検知光が合焦する高さ位置を測定する。この動作により、ターンテーブル１１上に再生や記録が可能なディスクが装填されているか否かが判定され、さらには、合焦高さ位置からディスクＤの種別、例えばＣＤであるのかＤＶＤであるのかなどの種別が判定される。
【００５４】
図２に示すように、実施の形態のディスク装置１では、第１のガイド部材４１の（ａ）側に、装填・排出駆動範囲Ｌ１を設ける必要があるため、光ヘッド５０が図２に示す初期位置に停止し対物レンズ５４からディスクＤの内周側の記録面に検知光が照射されているときに、第１の軸受け部５１ａは、図２に示す第１の支持部材４２と第２の支持部材４３のほぼ中心位置において、第１のガイド部材４１に支持されることになる。
【００５５】
光ヘッド５０の質量をＭ、第１の支持部材４２と第２の支持部材４３との間での第１のガイド部材４１の長さをＬ、第１のガイド部材４１の剛性をＥ・Ｉ（Ｅは縦弾性係数、Ｉは断面二次モーメント）とすると、初期位置に停止している光ヘッド５０の共振周波数Ｆは、Ｆ＝{π／（２・√３）}・√{（Ｍ・Ｌ３）／（Ｅ・Ｉ）}で求められる。通常のディスク装置１では、この共振周波数Ｆが５２０〜５５０Ｈｚ程度である。
【００５６】
ところが、光ヘッド５０が初期位置にあるときにレンズホルダ５２を上下に駆動するときの駆動周波数は、前記共振周波数Ｆに近似した帯域に存在しており、さらに直径１２ｃｍのディスクが回転駆動されているときの、ディスクＤの共振周波数は、５７０Ｈｚ付近に存在する。このように各周波数が近似していると、回転中のディスクＤが共振したときに、この共振に追従して光ヘッド５０が共振しやすくなる。この現象が生じると、フォーカスエラー信号が異常値となり、検知光の合焦高さ位置を検知することができなくなる。
【００５７】
そこで、この実施の形態では、光ヘッド５０が図２に示す初期位置に停止しているときに、図４に示すように、ヘッドベース５１の第２の軸受け部５１ｂが、第２のガイド部材４５の弾性変形領域Ｗ１に支持されている。そのため、光ヘッド５０を共振させようとする振動が発生したときに、図４に示す隙間δ１，δ２の存在により、第２のガイド部材４５が上下に弾性変形できるようになる。この弾性変形は制振力を発揮し、光ヘッド５０の共振を抑制できるようになる。
【００５８】
一方で、ディスクＤに記録された情報の再生や情報の記録を行うときの動作では、光ヘッド５０が初期位置からディスクの外周側へ移動し、第２の軸受け部５１ｂが、第２のガイド部材４５の固定領域Ｗ２上を移動するようになる。固定領域Ｗ２では、第２のガイド部材４５の嵌合凹部４６内に形成された挟圧突起４７，４７によって、駆動シャーシ５の固定片５ｂが上下から強固に保持されているため、固定領域Ｗ２で第２のガイド部材４５が上下に動くことがなく、光ヘッド５０を安定して移動させることができる。
【００５９】
このように、前記ディスク装置１では、光ヘッド５０が、ディスクＤの回転時の共振周波数に最も接近した周波数で振動しやすい共振領域である初期位置またはこの付近に位置しているときに、光ヘッド５０を第２のガイド部材４５の弾性変形領域Ｗ１で支持することで、光ヘッド５０の共振を抑制できる。また光ヘッドが前記共振領域を外れたら、第２のガイド部材４５で光ヘッド５０を安定して案内できるようになる。
【符号の説明】
【００６０】
１  ディスク装置
２  筐体
３  ノーズ部
４  挿入・排出口
５  駆動シャーシ
５ｂ  固定片
６  切換え部材
１０  回転駆動部
１１  ターンテーブル
１２  クランパ
２０  駆動機構
２１  モータ
２３  主駆動歯車
２８  動力伝達部材
３０  搬送機構
４０  ヘッド移送機構
４１  第１のガイド部材
４２  第１の支持部材
４３  第２の支持部材
４５  第２のガイド部材
４６  嵌合凹部
４６ａ  下部内壁
４６ｂ  上部内壁
４６ｃ  上部内壁
４７  挟圧突部
５０  光ヘッド
５１  ヘッドベース
５１ａ  第１の軸受け部
５１ｂ  第２の軸受け部
Ｄ  ディスク
Ｗ１  弾性変形領域
Ｗ２  固定領域
δ１，δ２  隙間
【図１】
0006440577.tif 000002
【図２】
0006440577.tif 000003
【図３】
0006440577.tif 000004
【図４】
0006440577.tif 000005
【図５】
0006440577.tif 000006